(57)【要約】【課題】  彫刻刀が不用意に飛び出すことがない彫刻刀ケースを提供する。【解決手段】  彫刻刀ケース１１は、底板１４と、一対の第１の仕切板１６、１８と、一対の第２の仕切板２０、２２と、一対の第１の移動板２６、２８と、付勢手段としての圧縮コイルバネとを中心として構成されている。彫刻刀を収納する際に彫刻刀が第１の移動板２６と接触すると、移動板２４が圧縮コイルバネの付勢力に抗して第１の位置に移動し、彫刻刀を上方から容易に収納できる第１のスペースが確保される。又、彫刻刀３６が収納された後は、移動板２４が圧縮コイルバネ３１の付勢力によって第２の位置に移動する。そしてその位置において、彫刻刀は、第１の仕切板１６と、第２の仕切板２０と、第１の移動板２６との各々によって飛び出しが阻止される。【選択図】      図４
2015181749.tif 000002
【特許請求の範囲】
【請求項１】
彫刻刀を保管する彫刻刀ケースであって、
底板と、
前記底板の上に形成され、前記彫刻刀の胴部をその間に収納することができる少なくとも一対の仕切板と、
前記仕切板に対してその延びる方向に整列するように配置され、前記彫刻刀の胴部をその間に収納することができると共に、前記仕切板に交差する方向に移動自在の一対の移動板と、
前記移動板を前記仕切板に交差する方向の一方に付勢する付勢手段とを備え、
前記移動板が前記付勢手段の付勢力に抗して移動した第１の位置において、前記彫刻刀は前記仕切板及び前記移動板で構成される空間に上方から収納され、
前記移動板が前記付勢手段の付勢力によって移動した第２の位置において、前記収納された前記彫刻刀の上方への取出しに少なくとも前記移動板の一部又は前記仕切板の一部が抵抗となる、彫刻刀ケース。
【請求項２】
前記移動板は、前記仕切板に直交する方向に移動自在に構成される、請求項１記載の彫刻刀ケース。
【請求項３】
前記移動板は、前記仕切板の途中に組み込まれる、請求項２記載の彫刻刀ケース。
【請求項４】
前記仕切板は、前記移動板を介して一対の第１の仕切板と一対の第２の仕切板とから構成され、
前記第１の仕切板の一方の上端には収納された彫刻刀の上方の一部を覆う第１の突出部が形成され、
前記第２の仕切板の一方の上端には収納された彫刻刀の上方の一部を覆う第２の突出部が前記第１の突出部と同一の方向に形成され、
前記第１の仕切板の前記一方と反対の方向に位置する、前記移動板の一方には、収納された彫刻刀の上方の一部を覆う爪部が形成され、
前記移動板は、前記第１の突出部、前記第２の突出部及び前記爪部の各々の先端からなる垂直方向のスペースを前記彫刻刀が上方から通過できる位置まで少なくとも移動可能に構成される、請求項３記載の彫刻刀ケース。
【請求項５】
前記仕切板は複数の彫刻刀を各々収納するように前記底板の上に複数設けられると共に隣接する仕切は１枚の板として共通に構成され、
前記移動板は複数の彫刻刀を各々収納するようにベース板の上に複数設けられると共に隣接する仕切は１枚の板として共通に構成され、
前記移動板は、前記ベース板と共に一体となって移動する、請求項３又は請求項４記載の彫刻刀ケース。
【発明の詳細な説明】
【技術分野】
【０００１】
この発明は彫刻刀ケースに関し、特に学童等が使用する彫刻刀を収納し、保管するための彫刻刀ケースに関するものである。
【背景技術】
【０００２】
従来から彫刻刀は小学校等での図画工作で使用されており、その際、彫刻刀は彫刻刀ケースに収納され、保管されている。
【０００３】
図１１は、従来の彫刻刀ケースの外観形状を示した斜視図である。
【０００４】
図を参照して、彫刻刀ケース８１は、底板８３を有するケース本体８４と、底板８３の上に形成された複数の仕切板８５と、ケース本体８４に取り付けられた開閉自在の蓋体８７とを備えて構成されている。そして彫刻刀８８の各々は仕切板８５の間に収納されている。
【発明の概要】
【発明が解決しようとする課題】
【０００５】
しかしながら、図１１に示したような従来の彫刻刀ケース８１にあっては、例えば学童が彫刻刀ケース８１の天地が逆になった状態で蓋体８７を開けてしまうと、彫刻刀８８が不用意に飛び出してしまう虞がある。
【０００６】
この発明は上記のような課題を解決するためになされたもので、彫刻刀が不用意に飛び出すことがない彫刻刀ケースを提供することを目的とする。
【課題を解決するための手段】
【０００７】
上記の目的を達成するために、請求項１記載の発明は、彫刻刀を保管する彫刻刀ケースであって、底板と、底板の上に形成され、彫刻刀の胴部をその間に収納することができる少なくとも一対の仕切板と、仕切板に対してその延びる方向に整列するように配置され、彫刻刀の胴部をその間に収納することができると共に、仕切板に交差する方向に移動自在の一対の移動板と、移動板を仕切板に交差する方向の一方に付勢する付勢手段とを備え、移動板が付勢手段の付勢力に抗して移動した第１の位置において、彫刻刀は仕切板及び移動板で構成される空間に上方から収納され、移動板が付勢手段の付勢力によって移動した第２の位置において、収納された彫刻刀の上方への取出しに少なくとも移動板の一部又は仕切板の一部が抵抗となるものである。
【０００８】
このように構成すると、収納された彫刻刀の保持状態が高まる。
【０００９】
請求項２記載の発明は、請求項１記載の発明の構成において、移動板は、仕切板に直交する方向に移動自在に構成されるものである。
【００１０】
このように構成すると、移動板の変化による仕切板の間隔に対する相対的な移動が大きくなる。
【００１１】
請求項３記載の発明は、請求項２記載の発明の構成において、移動板は、仕切板の途中に組み込まれるものである。
【００１２】
このように構成すると、彫刻刀の収納状態が安定する。
【００１３】
請求項４記載の発明は、請求項３記載の発明の構成において、仕切板は、移動板を介して一対の第１の仕切板と一対の第２の仕切板とから構成され、第１の仕切板の一方の上端には収納された彫刻刀の上方の一部を覆う第１の突出部が形成され、第２の仕切板の一方の上端には収納された彫刻刀の上方の一部を覆う第２の突出部が第１の突出部と同一の方向に形成され、第１の仕切板の一方と反対の方向に位置する、移動板の一方には、収納された彫刻刀の上方の一部を覆う爪部が形成され、移動板は、第１の突出部、第２の突出部及び爪部の各々の先端からなる垂直方向のスペースを彫刻刀が上方から通過できる位置まで少なくとも移動可能に構成されるものである。
【００１４】
このように構成すると、収納された彫刻刀は、第１の突出部、第２の突出部及び爪部によって保持される。
【００１５】
請求項５記載の発明は、請求項３又は請求項４記載の発明の構成において、仕切板は複数の彫刻刀を各々収納するように底板の上に複数設けられると共に隣接する仕切は１枚の板として共通に構成され、移動板は複数の彫刻刀を各々収納するようにベース板の上に複数設けられると共に隣接する仕切は１枚の板として共通に構成され、移動板は、ベース板と共に一体となって移動するものである。
【００１６】
このように構成すると、彫刻刀を纏めて収納できる。
【発明の効果】
【００１７】
以上説明したように、請求項１記載の発明は、収納された彫刻刀の保持状態が高まるため、彫刻刀が不用意に飛び出すことがなくなる。
【００１８】
請求項２記載の発明は、請求項１記載の発明の効果に加えて、移動板の変化による仕切板の間隔に対する相対的な移動が大きくなるため、効率的な構造となる。
【００１９】
請求項３記載の発明は、請求項２記載の発明の効果に加えて、彫刻刀の収納状態が安定するため、使い勝手が向上する。
【００２０】
請求項４記載の発明は、請求項３記載の発明の効果に加えて、収納された彫刻刀は、第１の突出部、第２の突出部及び爪部によって保持されるため、彫刻刀の収納状態及び取出し阻止状態がより安定する。
【００２１】
請求項５記載の発明は、請求項３又は請求項４記載の発明の効果に加えて、彫刻刀を纏めて収納できるため、効率的でコスト的に有利な構造となる。
【図面の簡単な説明】
【００２２】
【図１】この発明の第１の実施の形態による蓋体が取り付けられた彫刻刀ケースの外観形状を示した斜視図である。
【図２】図１で示した蓋体が取り付けられた彫刻刀ケースの他の外観形状を示した斜視図である。
【図３】図１及び図２で示した彫刻刀ケースの拡大斜視図である。
【図４】図３で示した状態から彫刻刀を取り出した後の彫刻刀ケースの外観形状を示した斜視図である。
【図５】図４で示した彫刻刀ケースの上面図である。
【図６】図５で示したＶＩ−ＶＩラインの断面図である。
【図７】図５で示したＶＩＩ−ＶＩＩラインの拡大断面図である。
【図８】彫刻刀ケースに彫刻刀が収納されるまでの工程を説明するための彫刻刀ケースの上面図である。
【図９】彫刻刀ケースに彫刻刀が収納されるまでの他の工程を説明するための彫刻刀ケースの他の上面図である。
【図１０】彫刻刀ケースに彫刻刀が収納されるまでの各工程を説明するための彫刻刀ケースの断面図である。
【図１１】従来の彫刻刀ケースの外観形状を示した斜視図である。
【発明を実施するための形態】
【００２３】
図１及び図２はこの発明の第１の実施による蓋体が取り付けられた彫刻刀ケースの外観形状を示した斜視図であり、図３は図１及び図２で示した彫刻刀ケースの拡大斜視図であり、図４は図３で示した状態から彫刻刀を取り出した後の彫刻刀ケースの外観形状を示した斜視図であり、図５は図４で示した彫刻刀ケースの上面図であり、図６は図５で示したＶＩ−ＶＩラインの断面図であり、図７は図５で示したＶＩＩ−ＶＩＩラインの拡大断面図である。
【００２４】
これらの図を参照して、彫刻刀ケース１１は、底板１４と、底板１４の上に設けられた仕切板１５と、仕切板１５に交差する方向に移動自在な移動板２４と、移動板２４の移動方向の一方に付勢する付勢手段としての圧縮コイルバネ３１とを中心として構成されている。尚、本実施の形態では、底板１４の外周には底板１４から上方へと立ち上がる壁面１２が形成されている。そして壁面１２の一方端側には蓋体３３が回動自在に取り付けられており、蓋体３３を回動して図２で示したように蓋体３３を彫刻刀ケース１１の台として使用できるように構成されている。ただし、蓋体３３はなくても良いものとする。
【００２５】
仕切板１５は、複数の彫刻刀３６の各々の胴部を収納することができるように、底板１４の上に複数設けられている。ここでは仕切板１５の隣接する仕切は１枚の板として共通に構成されている。
【００２６】
移動板２４は、仕切板１５に対してその延びる方向に整列するようにして、ベース板２５の上に複数配置されている。ここでは移動板２４の隣接する仕切は１枚の板として共通に構成されている。
【００２７】
移動板２４は仕切板１５の延びる方向の途中に組み込まれており、これにより、仕切板１５は移動板２４を介して一対の第１の仕切板１６、１８と、一対の第２の仕切板２０、２２とに区分けされている。又、移動板２４は、ベース板２５と一体となって仕切板１５に直交する方向に移動自在に構成されている。尚、このように直交する方向に設定したのは、移動板２４の変化による仕切板１５の間隔に対する相対的な移動が大きくなり、効率的な構造とするためである。
【００２８】
更に、一方の第１の仕切板１６の上端には、収納された彫刻刀３６の上方の一部を覆う第１の突出部１７が形成されている。
【００２９】
又、一方の第２の仕切板２０の上端には、収納された彫刻刀３６の上方の一部を覆う第２の突出部２１が、第１の突出部１７と同一の方向に形成されている。
【００３０】
これに対して、第１の仕切板１６及び第２の仕切板２０と反対の方向に位置する第１の移動板２６には、収納された彫刻刀３６の上方の一部を覆う爪部２７が形成されている。
【００３１】
又、圧縮コイルバネ３１は、移動板２４と壁面１２との間に配置されている。
【００３２】
そして彫刻刀３６は、後述するように移動板２４が移動することで形成される、一対の第１の仕切板１６、１８と、一対の第１の移動板２６、２８と、一対の第２の仕切板２０、２２との間に上方から収納できるように構成されている。
【００３３】
次に、図４で示した彫刻刀ケース１１に彫刻刀３６が収納されるまでの工程について説明する。
【００３４】
図８及び図９はそれぞれ図４で示した彫刻刀ケースに彫刻刀が収納されるまでの各工程を説明するための彫刻刀ケースの上面図であり、図１０は彫刻刀ケースに彫刻刀が収納されるまでの各工程を説明するための彫刻刀ケースの断面図である。尚、図１０の（１）は図５で示したＶＩ−ＶＩラインの断面図であり、図１０の（２）は図８で示したＸ−Ｘラインの断面図であり、図１０の（３）は図９で示したＸ−Ｘラインの断面図である。
【００３５】
まず図５及び図１０の（１）を参照して、彫刻刀ケース１１に図示しない彫刻刀３６（図３参照）が収納される前は、圧縮コイルバネ３１の付勢力によって、移動板２４は圧縮コイルバネ３１と対向する壁面１２側に押圧された状態となっている。
【００３６】
次に図８及び図１０の（２）を参照して、彫刻刀３６を彫刻刀ケース１１に収納しようとすると、彫刻刀３６が第１の移動板２６の爪部２７に接触する。接触した状態で彫刻刀３６に更に力を加えると、移動板２４が圧縮コイルバネ３１の付勢力に抗して仕切板１５に直交する方向（図１０の（２）の矢印方向）の第１の位置（Ｐ１）まで移動する。
【００３７】
移動板２４が第１の位置（Ｐ１）まで移動すると、第１の突出部１７、第２の突出部２１、及び爪部２７の各々の先端からなる垂直方向の第１のスペース（Ｓ１）は、彫刻刀３６が上方から通過できる空間となり、彫刻刀３６を容易に収納することができる。
【００３８】
最後に図９及び図１０の（３）を参照して、彫刻刀３６が彫刻刀ケース１１に完全に収納されると、移動板２４が圧縮コイルバネ３１の付勢力によって仕切板１５に直交する方向（図１０の（３）の矢印方向）の第２の位置（Ｐ２）まで移動する。
【００３９】
そして第２の位置（Ｐ２）において、彫刻刀３６は、一対の第１の仕切板１６、１８と、一対の第２の仕切板２０、２２と、一対の第１の移動板２６、２８との各々によって囲まれる第２のスペース（Ｓ２）に収納される。
【００４０】
このとき、圧縮コイルバネ３１の付勢力によって第１の仕切板１６の一部、第２の仕切板２０の一部、及び第１の移動板２６の一部は彫刻刀３６に押し付けられて抵抗となるため、収納された彫刻刀３６を上方へ取り出しにくくなり、彫刻刀３６の保持状態が高まる。
【００４１】
更に、収納された彫刻刀３６の胴部の上面は、第１の突出部１７、第２の突出部２１及び爪部２７によって保持されるため、彫刻刀３６の上方への飛び出し阻止状態がより安定する。尚、彫刻刀ケース１１から彫刻刀３６を取り出すには、上述した工程を逆順として各工程を踏めば良い。
【００４２】
尚、上記の実施の形態では、移動板は仕切板に直交する方向に移動自在に構成されているが、移動板の移動方向は、仕切板と交差する方向であれば他の方向であっても良い。
【００４３】
又、上記の実施の形態では、移動板は仕切板の途中の特定位置に組み込まれているが、仕切板の端のような他の位置に設定しても良い。
【００４４】
更に、上記の実施の形態では、仕切板及び移動板はそれぞれ特定数で特定形状を有しているが、他の数及び他の形状であっても良い。
【００４５】
更に、上記の実施の形態では、突出部は特定位置に形成されているが、突出部は収納された彫刻刀の上方の一部を覆うのであれば他の位置に形成しても良い。又、突出部のない構成としても良い。
【００４６】
更に、上記の実施の形態では、爪部は特定位置に形成されているが、爪部は収納された彫刻刀の上方の一部を覆うのであれば他の位置に形成しても良い。又、爪部のない構成としても良い。
【００４７】
更に、上記の実施の形態では、移動板は特定の位置まで移動可能に構成されているが、他の位置に設定しても良い。
【００４８】
更に、上記の実施の形態では、仕切板及び移動板共に隣接する仕切は１枚の板として共通して構成されているが、これらは異なる板から構成しても良い。
【００４９】
更に、上記の実施の形態では、付勢手段として圧縮コイルバネを用いているが、付勢力を備える他の部材を付勢手段としても良い。したがって、例えば板バネ、ひげバネ、圧縮ゴム等を付勢手段として用いても良い。
【符号の説明】
【００５０】
１１…彫刻刀ケース
１４…底板
１５…仕切板
１６，１８…第１の仕切板
１７…第１の突出部
２０，２２…第２の仕切板
２１…第２の突出部
２４…移動板
２５…ベース板
２６，２８…第１の移動板
２７…爪部
３１…圧縮コイルバネ
３６…彫刻刀
尚、各図中同一符号は同一又は相当部分を示す。
【図１】
2015181749.tif 000003
【図２】
2015181749.tif 000004
【図３】
2015181749.tif 000005
【図４】
2015181749.tif 000006
【図５】
2015181749.tif 000007
【図６】
2015181749.tif 000008
【図７】
2015181749.tif 000009
【図８】
2015181749.tif 000010
【図９】
2015181749.tif 000011
【図１０】
2015181749.tif 000012
【図１１】
2015181749.tif 000013